(57)【要約】【解決手段】下レール４の開口部４ｂに連通してその内奥左右に係合溝４ｃ，４ｃを形成する。左右の係合溝４ｃ，４ｃに、扉ａに取り付けた下部ランナー６の左右両側から突出する係合部６ａ，６ａを係合させ得るようにする。前記扉ａを垂直にした状態において、左右２つの係合部６ａ，６ａの外端縁と下レール４の開口部４ｂにおける内端縁との間に、左右とも均等な隙間Ｘが形成されるように、左右２つの係合部分における下部ランナー６の幅と下レール４の開口部４ｂの幅とを設定する。【効果】扉ａを垂直にすると、下部ランナー６の左右２つの係合部６ａ，６ａの外端縁と下レール４の開口部４ｂにおける内端縁との間に、左右とも均等な隙間Ｘが形成されるので、下部ランナー６をそのまま下レール４の開口部４ｂから走行溝４ａに容易に嵌合させることができる。したがって、重くて大きい扉ａの施工が極めて容易になる。【選択図】図３
2009046929.tif 000002
【特許請求の範囲】
【請求項１】
床その他の下部材に取り付けられる下レールと、この下レールに嵌合せしめられる下部ランナーとからなり、下レールは上方に開口されており、この開口部に連通してその内奥左右に形成した係合溝に、扉に取り付けた下部ランナーの左右両側から突出する係合部を係合させ得るようにしたランナー走行機構において、前記扉を垂直にした状態において、左右２つの係合部の外端縁と下レールの開口部における内端縁との間に、左右とも均等な隙間が形成されるように、左右２つの係合部分における下部ランナーの幅と下レールの開口部の幅とを設定したことを特徴とする扉の下部ランナー走行機構。
【請求項２】
下部ランナーの底部における左右２つの係合部間を、空洞にしたことを特徴とする請求項１記載の扉の下部ランナー走行機構。
【請求項３】
空洞にした下部ランナーの底部内角部分を左右とも外向きに切除しておくことを特徴とする請求項２記載の扉の下部ランナー走行機構。
【請求項４】
下部ランナーを方形状としたことを特徴とする請求項１〜３のいずれかに記載の扉の下部ランナー走行機構。
【請求項５】
下レールの左右両係合溝間に、下部材にねじ込むネジの頭部を収めるためのサラ加工を施すことを特徴とする請求項１記載の扉の下部ランナー走行機構。
【発明の詳細な説明】
【技術分野】
【０００１】
本発明は、引き戸や２つ以上に折り畳み得る折り戸等の吊り下げ式の扉を下側から支持するためのランナー走行機構の改良に関するものである。
【背景技術】
【０００２】
吊り下げ式の扉の上隅および下隅付近にピボットが取り付けてあって、各ピボットの上下両端に取り付けられているランナーを上レールと下レールの走行溝にそれぞれ嵌合せしめ、前記扉を上下一対のレールに沿ってスライドさせることにより、引き戸を開閉したり、１枚の折り戸を２つ以上に折り畳んだり、逆に、１枚に拡げることができるようになっている。
【０００３】
この場合に用いられる上下一対のレールと上下のランナーとで上下のランナー走行装置が構成されるが、そのうち下側のランナー走行装置については、重くて大きい扉を持ちながら下レールへ下部ランナーを嵌入しなければならないので、その嵌入を簡単かつスムーズに行うことができるものでなければならない。また、下側のランナー走行装置については、下部ランナーとピボットとで引き戸や折り戸の扉を支持し得るだけでなく、扉の重量が掛かっていても下部ランナーが下レールに対してスムーズにスライドする機能を発揮するものでなければならない。
【発明の開示】
【発明が解決しようとする課題】
【０００４】
そのためには、先ず、重くて大きい扉を斜めに傾けながら、下部ランナーを下レールに嵌入するような施工は極力避けなければならない。ところが、例えば、特許文献１の場合には、その図４からも明らかなように、重くて大きい扉を傾けなければ、下部ランナーを下レールに嵌入することができない。
【０００５】
【特許文献１】特開２０００−１７０４３２号公報
【０００６】
また、下部ランナーを下レールに対してスムーズにスライドさせるためには、床その他の下部材に下レールを水平に取り付けなければならないし、床その他の下部材に下レールを取り付けるためのネジが下部ランナーの走行の邪魔にならないようにしなければならない。そして、床その他の下部材に下レールを水平に取り付けるためには、下レールの長手方向の中央部分にネジ挿通用の孔を形成し、各孔を経て床その他の下部材にネジを螺入して下レールを固定するのがベストである。
【０００７】
ところが、特許文献１の場合にあっては、ネジ挿通用の孔を上記位置に形成せず、そこから離れた位置に形成してある。したがって、床その他の下部材に下レールを取り付けるためのネジが下部ランナーの走行の邪魔になることはないが、この位置にある孔を経て床その他の下部材にネジを螺入すると、固定された長尺状の下レールはその溝側が浮き上がった状態になり、水平状態を保ち得ないから、下部ランナーを下レールに対してスムーズにスライドさせることができない。
【課題を解決するための手段】
【０００８】
本発明はこのような欠点を解消することを目的とするものであって、床その他の下部材に取り付けられる下レールと、この下レールに嵌合せしめられる下部ランナーとからなり、下レールは上方に開口されており、この開口部に連通してその内奥左右に形成した係合溝に、扉に取り付けた下部ランナーの左右両側から突出する係合部を係合させ得るようにしたランナー走行機構において、前記扉を垂直にした状態において、左右２つの係合部の外端縁と下レールの開口部における内端縁との間に、左右とも均等な隙間が形成されるように、左右２つの係合部分における下部ランナーの幅と下レールの開口部の幅とを設定したことを特徴とする。
【０００９】
このようにした場合には、扉を垂直にすると、下部ランナーの左右２つの係合部の外端縁と下レールの開口部における内端縁との間に、左右とも均等な隙間が形成されるので、下部ランナーをそのまま下レールの開口部から走行溝に容易に嵌合させることができる。したがって、重くて大きい扉の施工が極めて容易になる。
【００１０】
下部ランナーの底部における左右２つの係合部間を、空洞にしておくことが好ましい。このようにした場合には、左右２つの係合部間に形成されているネジ挿通用の各孔を経て床その他の下部材に螺入されたネジがたとえ下レールの走行溝面から多少突出していたり、斜めになっていたとしても、このネジが下部ランナーの走行の邪魔になることはない。
【００１１】
空洞にした下部ランナーの底部内角部分を左右とも外向きに切除しておくとよい。このようにした場合には、扉の走行中下レールのネジ挿通用の孔が下部ランナーに接触しないから、接触音も出ない。
【００１２】
下部ランナーを方形状としておくことが望ましい。下部ランナーをこのような形状にした場合には、下レール内の左右に形成されている係合溝に、下部ランナーの左右両側から突出する係合部をその長手方向全体にわたって係合させることができる。したがって、下部ランナーの左右両係合部が下レール内の係合溝に十分係合するから、下部ランナーが下レールから抜けることがないのみならず、扉を下レールに沿って安定してスライドさせることができる。
【００１３】
下レールの左右両係合溝間に、下部材にねじ込むネジの頭部を収めるためのサラ加工を施しておくとよい。このようにした場合には、下部材にねじ込んだネジの頭部がサラ加工された孔にすっぽり収まるから、床その他の下部材に下レールを一層強固に固定できるのみならず、施工後の体裁もよい。
【発明の効果】
【００１４】
請求項１記載の発明によれば、重くて大きい扉の施工が極めて容易になるという利点を有する。
【００１５】
請求項２記載の発明によれば、左右２つの係合部間に形成されているネジ挿通用の各孔を経て床その他の下部材に螺入されたネジがたとえ下レールの走行溝面から多少突出していたり、斜めになっていたとしても、このネジが下部ランナーの走行の邪魔になることがないという利点を有する。
【００１６】
請求項３記載の発明によれば、扉の走行中下レールのネジ挿通用の孔が下部ランナーに接触しないから、接触音も出ないという利点を有する。
【００１７】
請求項４記載の発明によれば、下部ランナーが下レールから抜けることがないのみならず、扉を下レールに沿って安定してスライドさせることができるという利点を有する。
【００１８】
請求項５記載の発明によれば、床その他の下部材に下レールを一層強固に固定できるのみならず、施工後の体裁もよいという利点を有する。
【発明を実施するための最良の形態】
【００１９】
本発明による扉の下部ランナー走行機構の一例を図面に基いて詳細に説明する。図１には、２つに折り畳み得る吊り下げ式の折り戸Ａに、本発明を適用した場合の一例を示す。
２つに折り畳み得る折り戸Ａの左側の扉ａと右側の扉ａ’の上隅および下隅付近にはピボット１，１’とピボット２，２’とが取り付けてある。ピボット１の上端には案内ランナー１ａが、ピボット１’の上端には上部受金具１ａ’が取り付けられ、前記案内ランナー１ａは上レール３の走行溝３ａに直接嵌合せしめられ、前記上部受金具１ａ’は上レール３の走行溝３ａに嵌入してネジ７’で上レール３と上部材Ｂ’とに固定してある。
【００２０】
一方、下側のピボット２の下端には下部ランナー６が、また、下側のピボット２’の下端には下部受金具２ａ’が取り付けられ、前記下部ランナー６は下レール４の走行溝４ａに直接嵌合せしめられ、前記下部受金具２ａ’は下レール４の走行溝４ａに嵌入してネジ７で下レール４と下部材Ｂとに固定してある。
【００２１】
このようにすると、２つに折り畳み得る折り戸Ａを上レール３から吊り下げて下側から支持することができる。そして、左側の扉ａの端をつかんで上下一対の上レール３と下レール４に沿ってスライドさせることにより、１枚の折り戸Ａを例えば図１に示す状態に折り畳んだり、２枚重ねとなるように折り畳んだり、逆に、図示はしないが１枚に拡げることができる。
【００２２】
次に、扉ａ側の下部ランナー走行機構についてさらに詳細に説明する。下レール４は上方に開口されており、この開口部４ｂの奥が走行溝４ａであり、それらに連通してその内奥左右に係合溝４ｃ，４ｃが形成されている。そして、左右両係合溝４ｃ，４ｃに、扉ａに取り付けた下部ランナー６の左右両側から突出する係合部６ａ，６ａを係合させ得るようにしてある。２つ以上に折り畳み得る折り戸Ａを開閉する場合には、図３(a)もしくは図３(c)に示すように、下レール４の左右いずれかの方向に片寄るから、下部ランナー６の左右２つの係合部６ａ，６ａのいずれかが左右両係合溝４ｃ，４ｃのいずれか一方に係合し、下部ランナー６が下レール４の走行溝４ａから抜けて扉ａがぐらぐらすることはない。
【００２３】
この下部ランナー走行機構では、図３(b)に示すように、前記扉ａを垂直にした状態において、下部ランナー６の左右２つの係合部６ａ，６ａの外端縁と下レール４の開口部４ｂにおける内端縁との間に、左右とも均等な隙間Ｘが形成されるように、左右２つの係合部分６ａ，６ａにおける下部ランナー６の幅と下レール４の開口部４ｂの幅とを設定してある。
この場合においては、扉ａを垂直にすると、下部ランナー６の左右２つの係合部６ａ，６ａの外端縁と下レール４の開口部４ｂにおける内端縁との間に、左右とも均等な隙間Ｘが形成されるので、下部ランナー６をそのまま下レール４の開口部４ｂから走行溝４ａに容易に嵌合させることができる。したがって、重くて大きい扉ａの施工が極めて容易になる。
【００２４】
ここには、下部ランナー６の底部における左右２つの係合部６ａ，６ａ間を、空洞６ｂにしてある場合が例示されている。このように、下部ランナー６の底部において左右２つの係合部６ａ，６ａ間を空洞６ｂにした場合には、左右２つの係合部６ａ，６ａ間に形成されているネジ挿通用の各孔４ｄ，４ｄを経て下部材Ｂに螺入されたネジ８がたとえ下レール４の走行溝４ａ面から多少突出していたり、斜めになっていたとしても、このネジ８が下部ランナー６の走行の邪魔になることはない。
【００２５】
また、ここには、空洞６ｂにした下部ランナー６の底部内角部分を左右とも外向きに切除６ｃした場合が例示されている。このようにした場合には、扉ａの走行中下レール４のネジ挿通用の孔４ｄが下部ランナー６に接触しないから、接触音も出ない。
【００２６】
また、ここには、下部ランナー６を方形状とした場合が例示されている。下部ランナー６をこのような形状にした場合には、下レール４内の左右に形成されている係合溝４ｃ，４ｃに、下部ランナー６の左右両側から突出する係合部６ａ，６ａをその長手方向（図１（ｂ）における左右方向）全体にわたって係合させることができる。したがって、下部ランナー６の左右両係合部６ａ，６ａが下レール４内の係合溝４ｃに十分係合するから、下部ランナー６が下レール４から抜けることがないのみならず、扉ａを下レール４に沿って安定してスライドさせることができる。
【００２７】
さらに、ここには、下レール４の左右両係合溝４ｃ，４ｃ間に、下部材Ｂにねじ込むネジ８の頭部を収めるためのサラ加工９を施しておくとよい。このようにした場合には、下部材Ｂにねじ込んだネジ８の頭部がサラ加工９された孔にすっぽり収まるから、下部材Ｂの床面ｂに下レール４を一層強固に固定できるのみならず、施工後の体裁もよい。
【００２８】
下部ランナー走行機構の下レール４とその走行溝４ａに嵌合せしめられる下部ランナー６とに上述したような様々な工夫を凝らすことにより、重くて大きい折り戸Ａの施工が極めて容易になり、また、下部材Ｂに螺入されたネジ８がたとえ下レール４の走行溝４ａ面から多少突出していたり、斜めになっていたとしても、このネジ８が下部ランナー６の走行の邪魔になることはないし、扉ａの走行中に接触音も出ないし、扉ａを下レール４に沿って安定してスライドさせることができるし、下部材Ｂの床面ｂに下レール４を一層強固に固定できるのみならず、施工後の体裁もよいなど、様々な利点を有する。
【００２９】
下部ランナー６はピボット２の軸２ａに回転可能に取り付けられているので、扉ａの走行中下部ランナー６は下レール４の走行溝４ａ内で多少首を振ることができ、その結果、下レール４の走行溝４ａ内をスムーズに走行することができる。
【００３０】
なお、ここでは、ピボット１とピボット２の、ピボット１’とピボット２’の、上部ランナー１ａと下部ランナー６の、さらには、上部受金具１ａ’と下部受金具２ａ’の図面符号をそれぞれ異ならしめたが、それぞれを同じ機構にして上下に共用できるようにすることができる。
【００３１】
吊り下げ式の折り戸Ａを２つに折り畳み得るようにするための機構として、ここには、図１(a)に示すように、２枚の扉ａ，ａ’の接合側端面に取り付けた抱持金具１０，１０’で１つの接合金具１１の両側を抱持し、各抱持部を枢軸として２枚の扉ａ，ａ’が２つに折り畳むことができるようにした場合を例示する。
この機構に代えて、従来から用いられている蝶番その他の折り畳み機構を利用することもできる。
【産業上の利用可能性】
【００３２】
ここには、２つに折り畳み得る吊り下げ式の折り戸Ａに、本発明を適用した場合を例示するが、吊り下げ式の引き戸にも適用することができること勿論である。
【図面の簡単な説明】
【００３３】
【図１】２つに折り畳み得る吊り下げ式の折り戸に、本発明を適用した場合の一例を示す概略図で、(a)は平面図、(b)は一部を切り欠いて示す正面図である。
【図２】図１に示す下部ランナー走行機構を扉の一部とともに示す拡大側面図で、下部ランナーが下レールの走行溝に嵌合されていない状態で表わす。
【図３】図１に示す下部ランナー走行機構の作用を説明する拡大側面図である。
【符号の説明】
【００３４】
２…ピボット、４…下レール、４ａ…走行溝、４ｂ…開口部、４ｃ…係合溝、４ｄ…ネジ挿通用の孔、６…下部ランナー、６ａ…係合部、６ｂ…空洞、６ｃ…切除、８…ネジ、９…サラ加工、Ａ…折り戸、ａ…扉、Ｂ…下部材、ｂ…床面。
【図１】
2009046929.tif 000003
【図２】
2009046929.tif 000004
【図３】
2009046929.tif 000005
【手続補正書】
【提出日】平成19年8月24日(2007.8.24)
【手続補正１】
【補正対象書類名】図面
【補正対象項目名】図１
【補正方法】変更
【補正の内容】
【図１】
2009046929.tif 000006